(57)【要約】      （修正有）【課題】圧縮機の温度低下を防止することができ、ヒートポンプ運転による効率のよい加温を行うことのできる商品冷却加温装置を提供する。【解決手段】圧縮機２０と庫外凝縮器との間に設けられた複数の庫外ファンと、庫外ファンの一部から送風される風を圧縮機２０に当てるか、または遮るように配置した風向調整部材６０と、ヒートポンプ運転の能力状態を検出する外気温センサおよび冷媒温度センサ５１とを備え、外気温センサおよび冷媒温度センサ５１により、ヒートポンプ運転の能力が低いことを検出した場合に、風向調整部材６０で圧縮機２０への送風を遮るように配置された第１庫外ファン２３ａの動作に対して、圧縮機２０への送風を当てるように配置された庫外ファン２３ｂの回転数を低減させる。【選択図】図３
2017116253.tif 000002
【特許請求の範囲】
【請求項１】
庫外に配置されて冷媒を圧縮する圧縮機と、庫内に配置された庫内熱交換器と、庫外に配置された庫外熱交換器と、を用いて冷却運転用の冷媒流路とヒートポンプ運転用の冷媒流路とを切替可能な冷凍サイクルを備えた商品冷却加温装置であって、
前記圧縮機と前記庫外熱交換器との間に設けられた複数の庫外ファンと、
前記庫外ファンの一部から送風される風を圧縮機に当てるか、または遮るように配置した風向調整部材と、
ヒートポンプ運転の能力状態を検出する能力検出手段とを備え、
前記能力検出手段の検出結果に応じて前記庫外ファンの回転数を変化させることを特徴とする商品冷却加温装置。
【請求項２】
前記能力検出手段の検出結果に基づいて、前記庫外ファンの動作を制御する制御手段をさらに備えたことを特徴とする請求項１に記載の商品冷却加温装置。
【請求項３】
前記制御手段は、前記能力検出手段がヒートポンプ運転の能力が低いことを検出した場合に、前記風向調整部材で前記圧縮機への送風を遮るように配置された前記庫外ファンのみを動作させ、前記風向調整部材で前記圧縮機への送風を当てるように配置された前記庫外ファンの動作を停止させるように制御することを特徴とする請求項２に記載の商品冷却加温装置。
【請求項４】
前記制御手段は、前記能力検出手段がヒートポンプ運転の能力が低いことを検出した場合に、前記風向調整部材で前記圧縮機への送風を遮るように配置された前記庫外ファンの回転数を増速または全速で動作させ、前記風向調整部材で前記圧縮機への送風を当てるように配置された前記庫外ファンの回転数を減速または停止させるように制御することを特徴とする請求項２に記載の商品冷却加温装置。
【請求項５】
前記能力検出手段は、外気温検出手段を備え、前記外気温検出手段により検出される外気温が所定の温度以下となったときにヒートポンプ運転の能力が低いことを検出することを特徴とする請求項１から請求項４のいずれか一項に記載の商品冷却加温装置。
【請求項６】
前記制御手段は、前記外気温検出手段により検出される外気温が所定の温度以下の場合に、前記庫外ファンのうち、前記風向調整部材で前記圧縮機への送風を当てるように配置された前記庫外ファンの回転数を下げるように制御することを特徴とする請求項５に記載の商品冷却加温装置。
【請求項７】
前記能力検出手段は、前記庫内熱交換器における冷媒温度を検出する冷媒温度検出手段を備え、前記冷媒温度検出手段により検出される冷媒温度が所定の温度以下となったときにヒートポンプ運転の能力が低いことを検出することを特徴とする請求項１から請求項４のいずれか一項に記載の商品冷却加温装置。
【請求項８】
前記制御手段は、前記冷媒温度検出手段により検出される冷媒温度が所定の温度以下の場合に、前記庫外ファンのうち、前記風向調整部材で前記圧縮機への送風を当てるように配置された前記庫外ファンの回転数を下げるように制御することを特徴とする請求項７に記載の商品冷却加温装置。
【請求項９】
前記制御手段は、前記能力検出手段によりヒートポンプ運転の加熱能力が高いと検出した場合に、前記風向調整部材で前記圧縮機への送風を遮るように配置された前記庫外ファンと前記風向調整部材で前記圧縮機への送風を当てるように配置された前記庫外ファンの回転数を、前記能力検出手段によりヒートポンプ運転の加熱能力が低いと検出した場合よりも増やすことを特徴とする請求項２に記載の商品冷却加温装置。
【請求項１０】
前記能力検出手段は、外気温検出手段を備え、前記外気温検出手段により検出される外気温が所定の温度以上となったときにヒートポンプ運転の加熱能力が高いと検出することを特徴とする請求項１に記載の商品冷却加温装置。
【請求項１１】
前記能力検出手段は、前記庫内熱交換器における冷媒温度を検出する冷媒温度検出手段を備え、前記冷媒温度検出手段により検出される冷媒温度が所定の温度以上となったときにヒートポンプ運転の加熱能力が高いと検出することを特徴とする請求項１に記載の商品冷却加温装置。
【請求項１２】
前記制御手段は、前記外気温検出手段により検出される外気温が低外気温と検出し、前記能力検出手段がヒートポンプ運転の加熱能力が低いと検出した場合に、前記風向調整部材で前記圧縮機への送風を当てるように配置された前記庫外ファンの起動回転数を、前記風向調整部材で前記圧縮機への送風を遮るように配置された前記庫外ファンよりも減らすことを特徴とする請求項５に記載の商品冷却加温装置。
【請求項１３】
前記制御手段は、前記外気温検出手段により検出される外気温が高外気温と検出し、前記能力検出手段がヒートポンプ運転の加熱能力が高いと検出した場合に、前記圧縮機への送風を遮るように配置された前記庫外ファンと前記圧縮機への送風を当てるように配置された前記庫外ファンの起動回転数を、共にヒートポンプ運転の加熱能力が低い場合よりも増やすことを特徴とする請求項１０に記載の商品冷却加温装置。
【請求項１４】
前記制御手段は、前記冷媒温度検出手段により検出される前記庫内熱交換器の冷媒温度が低いと検出し、前記能力検出手段がヒートポンプ運転の加熱能力が低いと検出した場合に、前記風向調整部材で前記圧縮機への送風を当てるように配置された前記庫外ファンの回転数を、前記風向調整部材で前記圧縮機への送風を遮るように配置された前記庫外ファンよりも減らすと共に、前記冷媒温度が所定温度になるまで減速させていくことを特徴とする請求項７に記載の商品冷却加温装置。
【請求項１５】
前記制御手段は、前記冷媒温度検出手段により検出される前記庫内熱交換器の冷媒温度が高いと検出し、前記能力検出手段がヒートポンプ運転の加熱能力が高いと判定した場合に、前記風向調整部材で前記圧縮機への送風を遮るように配置された前記庫外ファンおよび前記風向調整部材で前記圧縮機への送風を当てるように配置された前記庫外ファンの回転数を、前記冷媒温度が所定温度になるまで増速させていくことを特徴とする請求項７に記載の商品冷却加温装置。
【請求項１６】
商品を収納する冷却加温室を備え、請求項１から請求項１５のいずれか一項に記載の商品冷却加温装置により、前記冷却加温室の冷却および加温を行うことを特徴とする飲料自動販売機。
【発明の詳細な説明】
【技術分野】
【０００１】
本発明は、商品冷却加温装置および飲料自動販売機に係り、特に、ヒートポンプを用いて、飲料などの商品を加温または冷却して販売する商品冷却加温装置および飲料自動販売機に関するものである。
【背景技術】
【０００２】
近年、自動販売機に対する消費電力量削減の要求が高まってきており、消費電力量を削減するため、冷却によって生じる廃熱あるいは外気の熱を利用して商品が保管された貯蔵庫を加温するものが提案されている。その一例として、従来、排熱していた凝縮器の熱を庫内の加熱に利用するヒートポンプ方式の自動販売機が開発されている。
このような従来の自動販売機として、従来、例えば、圧縮機と、蒸発器とともに商品収納庫に配設された加熱熱交換器と、ファンからの送風により放熱する庫外熱交換器と、圧力調整手段と、分配器と、蒸発器と、にて加熱冷却循環回路を構成するとともに、庫内温度を検知する庫内温度検知手段と、これらを制御する制御手段を有し、庫外に加熱手段を有し、かつ、庫外熱交換器に凝縮して貯留する冷媒を検知する貯留冷媒検知手段を設け、当該貯留冷媒検知手段の信号に基づいて、ファンにより加熱手段の熱を庫外熱交換器に送風するようにした技術が開示されている（例えば、特許文献１参照）。
【先行技術文献】
【特許文献】
【０００３】
【特許文献１】特許第４９１１１０５号公報
【発明の概要】
【発明が解決しようとする課題】
【０００４】
特許文献１に記載の技術では、庫外熱交換器と庫内熱交換器の間に電子膨張弁を設けて、冷媒流量を調整しており、その結果、庫外熱交換器で冷媒が滞留することを抑えて、冷媒循環量不足を防止し、効率のよいヒートポンプ加温運転を実現している。
しかしながら、一般に、圧縮機は庫外に設置されるものであるため、外気温度が低い場合に、圧縮機に冷気が吹き付けられ、圧縮機の温度が低下してしまう。このように圧縮機の温度が低下すると、冷凍機油に冷媒が溶解して、圧縮機内部に冷媒を含んだ冷凍機油が滞留してしまうという問題がある。その結果、冷凍サイクルを循環する冷媒量が減少し、ヒートポンプ能力が低下してしまうため、圧縮機の消費電力量が増大するという問題がある。
このことは、冷媒封入量が少なく冷凍機油との溶解度が高い冷媒であるＲ６００ａやＲ１２３４ｙｆの場合に、特に問題となる。
【０００５】
本発明は、前記した点に鑑みてなされたものであり、圧縮機の温度低下を防止することができ、ヒートポンプ運転による効率のよい加温を行うことのできる商品冷却加温装置および飲料自動販売機を提供することを目的とする。
【課題を解決するための手段】
【０００６】
上記目的を達成するために、本発明の商品冷却加温装置は、庫外に配置されて冷媒を圧縮する圧縮機と、庫内に配置された庫内熱交換器と、庫外に配置された庫外熱交換器と、を用いて冷却運転用の冷媒流路とヒートポンプ運転用の冷媒流路とを切替可能な冷凍サイクルを備えた商品冷却加温装置であって、前記圧縮機と前記庫外熱交換器との間に設けられた複数の庫外ファンと、前記庫外ファンからの送風のうち、前記圧縮機に当てる風量を増減させるための風向調整部材と、ヒートポンプ運転の能力状態を検出する検出手段とを備え、前記能力検出手段の検出結果に応じて前記庫外ファンの回転数を変化させることを特徴とする。
【０００７】
また、前記構成において、前記能力検出手段の検出結果に基づいて、前記庫外ファンの動作を制御する制御手段をさらに備えたことを特徴とする。
【０００８】
また、前記構成において、前記制御手段は、前記検出手段がヒートポンプ運転の能力低下状態を検出した場合に、前記風向調整部材で前記圧縮機への送風を減らすように配置された前記庫外ファンのみを動作させ、前記風向調整部材で前記圧縮機への送風を増やすように配置された前記庫外ファンの動作を停止させるように制御することを特徴とする。
【０００９】
また、前記構成において、前記制御手段は、前記能力検出手段がヒートポンプ運転の能力低下状態を検出した場合に、前記風向調整部材で前記圧縮機への送風を減らすように配置された前記庫外ファンを増速または全速で動作させ、前記風向調整部材で前記圧縮機への送風を増やすように配置された前記庫外ファンの動作を減速または停止させるように制御することを特徴とする。
【００１０】
また、前記構成において、前記能力検出手段は、外気温検出手段を備え、前記外気温検出手段により検出される外気温が所定の温度以下となったときにヒートポンプ運転の能力低下状態であることを検出することを特徴とする。
【００１１】
また、前記構成において、前記制御手段は、前記外気温検出手段の検出結果が所定の温度以下の場合に、庫外ファンのうち、前記風向調整部材で前記圧縮機への送風を増やすように配置された前記庫外ファンの回転数を下げるように制御することを特徴とする。
【００１２】
また、前記構成において、前記能力検出手段は、前記庫内熱交換器における冷媒温度を検出する温度検出手段を備え、前記温度検出手段により検出される冷媒温度が所定の温度以下となったときにヒートポンプ運転の能力低下状態であることを検出することを特徴とする。
【００１３】
また、前記構成において、前記制御手段は、前記温度検出手段の検出結果が所定の温度以下の場合に、前記庫外ファンのうち、前記風向調整部材で前記圧縮機への送風を増やすように配置された前記庫外ファンの回転数を下げるように制御することを特徴とする。
【００１４】
また、前記構成において、前記制御手段は、前記能力検出手段によりヒートポンプ運転の加熱能力が高いと検出した場合に、前記風向調整部材で前記圧縮機への送風を遮るように配置された前記庫外ファンと前記風向調整部材で前記圧縮機への送風を当てるように配置された前記庫外ファンの回転数を、前記能力検出手段によりヒートポンプ運転の加熱能力が低いと検出した場合よりも増やすことを特徴とする。
【００１５】
また、前記構成において、前記能力検出手段は、外気温検出手段を備え、前記外気温検出手段により検出される外気温が所定の温度以上となったときにヒートポンプ運転の加熱能力が高いと検出することを特徴とする。
【００１６】
また、前記構成において、前記能力検出手段は、前記庫内熱交換器における冷媒温度を検出する冷媒温度検出手段を備え、前記冷媒温度検出手段により検出される冷媒温度が所定の温度以上となったときにヒートポンプ運転の加熱能力が高いと検出することを特徴とする。
【００１７】
また、前記構成において、前記制御手段は、前記外気温検出手段により検出される外気温が低外気温と検出し、前記能力検出手段がヒートポンプ運転の加熱能力が低いと検出した場合に、前記風向調整部材で前記圧縮機への送風を当てるように配置された前記庫外ファンの起動回転数を、前記風向調整部材で前記圧縮機への送風を遮るように配置された前記庫外ファンよりも減らすことを特徴とする。
【００１８】
また、前記構成において、前記制御手段は、前記外気温検出手段により検出される外気温が高外気温と検出し、前記能力検出手段がヒートポンプ運転の加熱能力が高いと検出した場合に、前記圧縮機への送風を遮るように配置された前記庫外ファンと前記圧縮機への送風をへ当てるように配置された前記庫外ファンの起動回転数を、共にヒートポンプ運転の加熱能力が低い場合よりも増やすことを特徴とする。
【００１９】
また、前記構成において、前記制御手段は、前記冷媒温度検出手段により検出される前記庫内熱交換器の冷媒温度が低いと検出し、前記能力検出手段がヒートポンプ運転の加熱能力が低いと検出した場合に、前記風向調整部材で前記圧縮機への送風を当てるように配置された前記庫外ファンの回転数を、前記風向調整部材で前記圧縮機への送風を遮るように配置された前記庫外ファンよりも減らすと共に、前記冷媒温度が所定温度になるまで減速させていくことを特徴とする。
【００２０】
また、前記構成において、前記制御手段は、前記冷媒温度検出手段により検出される前記庫内熱交換器の冷媒温度が高いと検出し、前記能力検出手段がヒートポンプ運転の加熱能力が高いと判定した場合に、前記風向調整部材で前記圧縮機への送風を遮るように配置された前記庫外ファンおよび前記風向調整部材で前記圧縮機への送風を当てるように配置された前記庫外ファンの回転数を、前記冷媒温度が所定温度になるまで増速させていくことを特徴とする。
【００２１】
また、本発明の飲料自動販売機は、商品を収納する冷却加温室を備え、請求項１から請求項１５に記載の商品冷却加温装置により、前記冷却加温室の冷却および加温を行うことを特徴とする。
【発明の効果】
【００２２】
本発明によれば、検出手段によりヒートポンプ運転の能力低下状態を検出した場合に、風向調整部材で圧縮機への送風を減らすように配置された庫外ファンの動作に対して、風向調整部材で圧縮機への送風を増やすように配置された庫外ファンの動作を低下させることで、圧縮機の温度を必要以上に低下させることを防止することができる。その結果、冷凍機油と冷媒との溶解度が低下して、圧縮機の内部に滞留する冷媒量を低減させることができ、冷凍サイクルを循環する冷媒量が増えて、ヒートポンプ能力が増加して、圧縮機の消費電力量が低減して、消費電力量を抑えることができる。
【図面の簡単な説明】
【００２３】
【図１】第１実施形態における飲料自動販売機の全体構成を示す概略図である。
【図２】第１実施形態における内外冷却ヒートポンプ運転モード時の冷凍サイクル図である。
【図３】第１実施形態における機械室の構造を示す斜視図である。
【図４】第１実施形態における機械室の構造の風向調整部材を取り外した状態を示す斜視図である。
【図５】第１実施形態における風向調整部材を示す斜視図である。
【図６】第１実施形態における制御構成を示すブロック図である。
【図７】第２実施形態における制御動作を示すフローチャートである。
【発明を実施するための形態】
【００２４】
以下、本発明の実施の形態について、図面を参照しながら説明する。
図１は、本発明に係る商品冷却加温装置を搭載した飲料自動販売機の第１実施形態を示す概略図である。図２は第１実施形態における内外冷却ヒートポンプ運転モード時の冷凍サイクル図である。
【００２５】
図１および図２に示すように、本実施形態の自動販売機は、飲料向けの飲料自動販売機であり、商品である飲料を収納する商品収納庫２と商品収納庫２の下部に配置された機械室３を有する。
商品収納庫２は、庫内が、収納する商品を冷却もしくは加温する第１の冷却加温室１０、収納する商品を冷却もしくは加温する第２の冷却加温室１１、収納する商品を冷却する冷却専用室１２に区画されている。また、それぞれの商品収納室内には商品収納棚（図示せず）が上部に吊り下げられており、商品が内部に収納されている。
また、図１に示すように、商品収納庫２は、断熱外壁５により被覆されており、第１の冷却加温室１０と第２の冷却加温室１１との間、第２の冷却加温室１１と冷却専用室１２との間には、断熱バリア６が設置されている。
【００２６】
図１に示すように、機械室３には、冷凍ユニット７が設置されている。この冷凍ユニット７は、図２に示すように、圧縮機２０と、圧縮機２０から吐出された冷媒を凝縮させる庫外凝縮器２１と、庫外蒸発器２２と、庫外凝縮器２１が風上側で庫外蒸発器２２が風下側になるように庫外凝縮器２１と庫外蒸発器２２の近傍に位置して庫外凝縮器２１または庫外蒸発器２２の熱交換が促進されるように送風する庫外ファン２３とから構成されている。
本実施形態においては、庫外ファン２３は、３つ設けられている。
【００２７】
第１の冷却加温室１０内には、庫外凝縮器２１で凝縮した冷媒を蒸発させて第１の冷却加温室１０内の商品を冷却する庫内蒸発器２４と、圧縮機２０から吐出された冷媒を凝縮させて第１の冷却加温室１０内の商品を加温する庫内凝縮器２５と、庫内蒸発器２４と庫内凝縮器２５の近傍に配置され、庫内蒸発器２４または庫内凝縮器２５と熱交換した空気を第１の冷却加温室１０内で循環させる庫内ファン２６と、庫内凝縮器２５とは別に必要に応じて第１の冷却加温室１０内の商品を加温する場合に通電されて発熱する加温ヒータ２７と、第１の冷却加温室１０の室内温度を検出する温度センサ５３ａ（図１を参照）とが配置されている。
【００２８】
第２の冷却加温室１１内には、庫外凝縮器２１で凝縮（庫内凝縮器２５に冷媒が流れている場合は、庫内凝縮器２５と庫外凝縮器２１で凝縮）した冷媒を蒸発させて第２の冷却加温室１１内の商品を冷却する庫内蒸発器２８と、庫内蒸発器２８の近傍に配置され、庫内蒸発器２８と熱交換した空気を第２の冷却加温室１１内で循環させる庫内ファン２９と、第２の冷却加温室１１内の商品を加温する場合に通電されて発熱する加温ヒータ３０と、第２の冷却加温室１１の室内温度を検出する温度センサ５３ｂ（図１を参照）とが配置されている。
【００２９】
冷却専用室１２内には、庫外凝縮器２１で凝縮（庫内凝縮器２５に冷媒が流れている場合は、庫内凝縮器２５と庫外凝縮器２１で凝縮）した冷媒を蒸発させて冷却専用室１２内の商品を冷却する庫内蒸発器３１と、庫内蒸発器３１の近傍に配置され、庫内蒸発器３１と熱交換した空気を冷却専用室１２内で循環させる庫内ファン３２と、冷却専用室１２の室内温度を検出する温度センサ５３ｃ（図１を参照）が配置されている。
【００３０】
庫内蒸発器２４と庫内蒸発器２８，３１とに冷媒流路を分岐する分岐点と、庫内蒸発器２４との間の分岐流路には、電磁弁４０が設けられている。電磁弁４０は、第１の冷却加温室１０の冷却が必要のため庫内蒸発器２４に冷媒を流す時は開状態となり、第１の冷却加温室１０の冷却が不要のため庫内蒸発器２４に冷媒を流さない時は閉状態となる。
また、庫内蒸発器２８と庫内蒸発器３１とに冷媒流路を分岐する分岐点には、パルス三方弁４１が設けられている。パルス三方弁４１は、庫内蒸発器２８方向への冷媒の流路と庫内蒸発器３１方向への冷媒の流路を切換えたり、両方の流路を同時に閉じたりすることが可能となっている。
【００３１】
電磁弁４０と庫内蒸発器２４との間の冷媒の流路には、庫内蒸発器２４に流れる冷媒を減圧するキャピラリチューブなどの膨張機構４２が設けられている。また、パルス三方弁４１と庫内蒸発器２８との間の冷媒の流路には、庫内蒸発器２８に流れる冷媒を減圧するキャピラリチューブなどの膨張機構４３が設けられており、パルス三方弁４１と庫内蒸発器３１との間の冷媒の流路には、パルス三方弁４１から庫内蒸発器３１方向に流れる冷媒を減圧するキャピラリチューブなどの膨張機構４４が設けられている。
庫内蒸発器２８の冷媒の出口側は、膨張機構４４と庫内蒸発器３１とを接続する冷媒の配管に接続されており、庫内蒸発器２８から流出した冷媒が庫内蒸発器３１に流入するように構成されている。
【００３２】
圧縮機２０の吐出側の冷媒配管には、三方電磁弁４５が設けられている。三方電磁弁４５は、庫内凝縮器２５で第１の冷却加温室１０内の商品を加温する時に圧縮機２０から吐出された冷媒を庫内凝縮器２５を経由させてから庫外凝縮器２１に送る。一方、三方電磁弁４５は、第１の冷却加温室１０内の商品を冷却する時に圧縮機２０から吐出された冷媒を庫内凝縮器２５を経由させずに庫外凝縮器２１に送るように構成されている。
【００３３】
第１の冷却加温室１０の庫内凝縮器２５の冷媒の出口側の冷媒配管は、三方電磁弁４５と庫外凝縮器２１との間の冷媒配管に接続されており、この冷媒配管には、庫内凝縮器２５で凝縮した冷媒を減圧するキャピラリチューブなどの膨張機構４６および逆止弁４７が設けられている。
庫外蒸発器２２は、庫外凝縮器２１の冷媒の出口と、庫内蒸発器２４および庫内蒸発器２８，３１に冷媒流路を分岐する分岐点との間の冷媒配管（庫外凝縮器２１の冷媒の出口側の冷媒配管）と圧縮機２０の吸い込み側配管とをバイパスするバイパス流路に設けられている。
庫外蒸発器２２の冷媒の入口側（バイパス流路の冷媒の入口側）には、バイパス流路を開閉するヒートポンプ電磁弁４８が設けられている。
【００３４】
また、ヒートポンプ電磁弁４８と庫外蒸発器２２との間のバイパス流路には、庫内凝縮器２５と庫外凝縮器２１で凝縮してバイパス流路に流入した冷媒を減圧する膨張機構４９が設けられている。
ヒートポンプ電磁弁４８は、圧縮機２０から吐出された冷媒が庫内凝縮器２５を経由して庫外凝縮器２１に流れる場合にのみ開放される。
庫内蒸発器２４の冷媒の出口側の分岐流路および庫内蒸発器３１の冷媒の出口側の分岐流路が合流する合流点と圧縮機２０の吸い込み側との間の冷媒配管と、庫内凝縮器２５で凝縮した冷媒を減圧する膨張機構４６と三方電磁弁４５との間の冷媒配管とは、回収電磁弁５０を介して接続されている。
【００３５】
また、庫内凝縮器２５の冷媒の入口側には、検出手段を構成する冷媒の温度を検出するための冷媒温度検出手段としての冷媒温度センサ５１が設けられている。さらに、冷凍ユニット７の近傍には、外気温を検出するための外気温検出手段としての外気温センサ５２が設けられている。
なお、本実施形態においては、圧縮機２０、庫内蒸発器２４，２８，３１、庫外凝縮器２１により冷却運転用の冷媒流路が構成されており、圧縮機２０、庫内凝縮器２５、庫外蒸発器２２により、ヒートポンプ運転用の冷媒流路が構成されている。
【００３６】
次に、本実施形態における機械室３の構成について詳細に説明する。
図３は本実施形態における機械室３の構造を示す斜視図である。図４は本実施形態における機械室３の構造の風向調整部材を取り外した状態を示す斜視図である。図５は本実施形態における風向調整部材を示す斜視図である。
図３および図４に示すように、機械室３には、圧縮機２０が配置されており、圧縮機２０の一側には、庫外凝縮器２１および庫外蒸発器２２がそれぞれ配置されている。
【００３７】
庫外凝縮器２１と庫外蒸発器２２は、それぞれ、互いに間隔をあけて平行に並べられた複数のフィン５５と、そのフィン５５の両側に配置されたエンドプレート５６とを配管５７が貫通する熱交換器であり、庫外凝縮器２１と庫外蒸発器２２とで、１枚のエンドプレート５６を共有する構成となっている。
すなわち、庫外凝縮器２１と庫外蒸発器２２とは、フィン５５が別々でエンドプレート５６を共用するように一体化した２パスの熱交換器であり、庫外ファン２３が運転された場合に、庫外凝縮器２１の配管が風上側で、庫外蒸発器２２の配管５７が風下側になるように配置されている。また、庫外凝縮器２１用の配管と庫外蒸発器２２用の配管５７は、それぞれ冷媒が概ね上から下に向かって流れるように構成されている。
【００３８】
庫外蒸発器２２の一側には、３つの庫外ファン２３が設置されている。本実施形態においては、庫外ファン２３は、庫外蒸発器２２の上方に並んで配置された第１庫外ファン２３ａおよび第２庫外ファン２３ｂと、第１庫外ファン２３ａの下方に配置された第３庫外ファン２３ｃとから構成されている。
【００３９】
また、図３に示すように、第１庫外ファン２３ａおよび第２庫外ファン２３ｂの風下側には、風向調整部材６０が取り付けられている。図５に示すように、風向調整部材６０は、庫外凝縮器２１、庫外蒸発器２２、第１庫外ファン２３ａおよび第２庫外ファン２３ｂの上部を覆う上板６１と、第１庫外ファン２３ａの前方に位置する前板６２ａと、第２庫外ファン２３ｂの前方に位置する前板６２ｂと、第１庫外ファン２３ａの側部上方を覆う側板６３とを備えている。
各前板６２ａ，６２ｂは、第１庫外ファン２３ａおよび第２庫外ファン２３ｂの送風方向に対して傾斜するように構成されており、各前板６２ａ，６２ｂの間には、送風口６４が形成されている。
このように構成することで、上方に位置する第１庫外ファン２３ａから送られる風は、前板６２ａによって遮られ、側板６３部分から送風され、圧縮機２０に直接風があたらないように構成されている。一方、第２庫外ファン２３ｂから送られる風は、前板６２ｂによって案内され、送風口６４ｂから送風されて、圧縮機２０に直接風が当たるように構成されている。
また、第３庫外ファン２３ｃの前方には、風向調整部材６０が配置されていないので、第３庫外ファン２３ｃから送られる風は、圧縮機２０にあたるように構成されている。
【００４０】
次に、本実施形態の制御構成について説明する。
図６は、本実施形態の制御構成を示すブロック図である。
図６に示すように、本実施形態の飲料自動販売機は、前述の圧縮機２０、庫外ファン２３ａ，２３ｂ，２３ｃ、各庫内ファン２６，２９，３２、電磁弁４０、パルス三方弁４１、三方電磁弁４５、ヒートポンプ電磁弁４８および回収電磁弁５０などの駆動制御を行う制御手段としての制御装置７０を備えている。
制御装置７０は、飲料自動販売機の各部を中枢的に制御するものであり、演算実行部としてのＣＰＵ、このＣＰＵによって実行可能な基本制御プログラムや所定のデータなどを不揮発的に記憶するＲＯＭ、ＲＡＭ、その他の周辺回路などを備えている。
また、制御装置７０には、外気温センサ５２および庫内凝縮器に流入する冷媒温度を検出する冷媒温度センサ５１の検出信号が入力されるように構成されている。
【００４１】
そして、制御装置７０は、圧縮機２０、庫外ファン２３ａ，２３ｂ，２３ｃ、各庫内ファン２６，２９，３２、電磁弁４０、パルス三方弁４１、三方電磁弁４５、ヒートポンプ電磁弁４８および回収電磁弁５０などの駆動制御を行うことで、各種の運転モードで運転することが可能となっている。
運転モードとしては、本実施形態においては、庫内蒸発器２８、３１を用いて、第２の冷却加温室１１および冷却専用室１２から熱を奪う非ヒートポンプ運転モード、庫内蒸発器２８、３１および庫外蒸発器２２を用いて、第１の冷却加温室１０をヒートポンプで加温し、第２の冷却加温室１１、冷却専用室１２および庫外の大気から熱を奪う内外冷却ヒートポンプ運転モード、庫内蒸発器２８、３１を用いるとともに庫外蒸発器２２を用いないで、第１の冷却加温室１０をヒートポンプで加温し、第２の冷却加温室１１および冷却専用室１２から熱を奪う内冷却ヒートポンプ運転モード、庫内蒸発器２８、３１を用いないで庫外蒸発器２２を用いて、冷却加温室１０をヒートポンプで加温し、庫外の大気から熱を奪う外冷却ヒートポンプ運転モードで制御される。
【００４２】
また、本実施形態においては、制御装置７０は、冷媒温度センサ５１による冷媒温度および外気温センサ５２による外気温度に基づいて、庫外ファン２３ａ，２３ｂ，２３ｃの制御を行うように構成されている。制御装置７０は、冷媒温度センサ５１による冷媒温度および外気温センサ５２による外気温度に基づいて、ヒートポンプ運転の能力低下状態を判断する。制御装置７０、冷媒温度センサ５１および外気温センサ５２により、本発明のヒートポンプ運転の能力が低下したことを検出する能力検出手段を構成している。
そして、制御装置７０は、外気温に対する冷媒温度が一定温度以下となった場合に、ヒートポンプ運転の能力が低下したと判断して、庫外ファン２３ａ，２３ｂ，２３ｃの駆動、停止または回転数の制御をそれぞれ行うようになっている。
【００４３】
具体的には、例えば、冷媒温度センサ５１による冷媒温度を、外気温が１５℃のとき、７０℃が標準とした場合、標準の冷媒温度より−５℃、すなわち、冷媒温度が６５℃以下となった場合に、制御装置７０は、ヒートポンプ運転の能力低下状態であると判断する。そして、この場合には、制御装置７０は、圧縮機２０に直接送風を行う第２庫外ファン２３ｂおよび第３庫外ファン２３ｃの運転を停止するか、または他の第１庫外ファン２３ａの回転数より回転数を低くして駆動するように制御する。そして、第１庫外ファン２３ａの回転数は、第２庫外ファン２３ｂおよび第３庫外ファン２３ｃの回転数よりも高くするかまたは全速で駆動するように制御する。
また、制御装置７０は、圧縮機２０に直接送風を行う第２庫外ファン２３ｂおよび第３庫外ファン２３ｃの運転を多段階で制御してもよい。例えば、ヒートポンプ運転の能力低下状態が所定のレベルに達するまでは圧縮機２０に直接送風を行う第２庫外ファン２３ｂおよび第３庫外ファン２３ｃの回転数を低くし、所定のレベルを超えた場合は運転を停止するようにしてもよい。そして、第２庫外ファン２３ｂおよび第３庫外ファン２３ｃの運転の停止によって、消費電力をカットできるので、待機電力を省エネルギー化することができる。
ここで、回転数を「低く」または「高く」制御するというのは、通常設定されるファンの所定の回転数に対して「低く」または「高く」制御することを意味するものであり、どの程度、「低く」または「高く」制御するかは、冷媒温度および外気温との関係によって適宜設定されるものである。
【００４４】
これにより、圧縮機２０にあたる風量を低減させることができ、圧縮機２０の温度が必要以上に低下してしまうことを防止することができるものである。
なお、第１庫外ファン２３ａについても、必要であれば、回転数を低く制御するようにしてもよいが、冷媒の安全性を確保するため、最低１つの庫外ファン２３は駆動することが好ましい。
【００４５】
次に、本実施形態における動作について説明する。なお、本実施形態においては、内外冷却ヒートポンプ運転モードにより運転する場合について説明する。
【００４６】
第１の冷却加温室１０を加温し、第２の冷却加温室１１、冷却専用室１２を冷却する内外冷却ヒートポンプ運転モードの場合は、図２の冷媒流路を矢印の向きに冷媒が流れる運転となる。
【００４７】
この場合は、制御装置７０は、三方電磁弁４５を、圧縮機２０の吐出配管と、庫外凝縮器２１および庫内凝縮器とが連通するように切り換え、パルス三方弁４１を、庫内蒸発器２８および庫内蒸発器３１への流路を開状態にし、電磁弁４０を閉状態にし、回収電磁弁を閉状態にし、ヒートポンプ電磁弁４８を開状態に制御する。
【００４８】
この状態で、圧縮機２０を駆動すると、圧縮機２０から吐出された高温高圧のガス状の冷媒は、三方電磁弁４５を通過した後に庫内凝縮器２５に送られ、庫内凝縮器２５にて一部凝縮し、その際に庫内凝縮器２５の周囲の空気に放熱することで第１の冷却加温室１０内を加温する。
そして、庫内凝縮器２５を出た冷媒は膨張機構４６にて減圧された後、逆止弁４７を介して庫外凝縮器２１にてさらに凝縮する。
庫外凝縮器２１から流出した冷媒は、その一部が、ヒートポンプ電磁弁および膨張機構を介して庫外蒸発器２２に送られ、庫外蒸発器２２でガス状の冷媒となって圧縮機２０に戻る。
一方、庫外凝縮器２１を出たその他の冷媒は、パルス三方弁４１を通過して膨張機構４３および膨張機構４４に送られ、膨張機構４３および膨張機構４４にて減圧された後に庫内蒸発器２８および庫内蒸発器３１で蒸発気化して第２の冷却加温室１１および冷却専用室１２を冷却する。
そして、庫内蒸発器３１から流出したガス状の冷媒は圧縮機２０に戻る。
【００４９】
この場合において、本実施形態においては、庫内凝縮器に流入する冷媒温度を冷媒温度センサ５１により検出するとともに、外気温センサ５２により外気温を検出し、制御装置７０は、冷媒温度センサ５１および外気温センサ５２の検出値に基づいて、ヒートポンプ運転の能力が低下しているか否かを判断する。
そして、制御装置７０がヒートポンプ運転の能力低下状態であると判断した場合は、制御装置７０は、外気温に対する冷媒温度が一定温度以下となった場合に、ヒートポンプ運転の能力が低下したと判断して、庫外ファン２３ａ，２３ｂ，２３ｃの駆動、停止または回転数の制御をそれぞれ行う。
【００５０】
すなわち、制御装置７０は、ヒートポンプ運転の能力低下状態であると判断した場合には、圧縮機２０に直接送風を行う第２庫外ファン２３ｂおよび第３庫外ファン２３ｃの運転を停止するか、または回転数を低くして駆動するように制御することで、第１庫外ファン２３ａの動作に対して第２庫外ファン２３ｂおよび第３庫外ファン２３ｃの動作を低くするように制御する。
【００５１】
以上述べたように、本実施の形態の飲料自動販売機は、圧縮機２０と庫外凝縮器２１（庫外熱交換器）との間に設けられた複数の庫外ファン２３と、庫外ファン２３の一部から送風される風を圧縮機２０に当てるか、または遮るように配置した風向調整部材６０と、ヒートポンプ運転の能力状態を検出する外気温センサ５２および冷媒温度センサ５１（能力検出手段）とを備え、外気温センサ５２および冷媒温度センサ５１により、ヒートポンプ運転の能力が低いことを検出した場合に、前記風向調整部材６０で圧縮機２０への送風を遮るように配置された第１庫外ファン２３ａの動作に対して、圧縮機２０への送風を当てるように配置された庫外ファン２３ｂの回転数を低減させる。
これによれば、外気温センサ５２および冷媒温度センサ５１により、ヒートポンプ運転の能力低下状態を検出した場合に、風向調整部材６０で圧縮機２０への送風を遮るように配置された第１庫外ファン２３ａの動作に対して、風向調整部材６０で圧縮機２０への送風を当てるように配置された庫外ファン２３ｂの動作を低下させることで、圧縮機２０の温度を必要以上に低下させることを防止することができる。
その結果、冷凍機油と冷媒との溶解度が低下して、圧縮機２０の内部に滞留する冷媒量を低減させることができ、冷凍サイクルを循環する冷媒量が増えて、ヒートポンプ能力が増加して、圧縮機２０の消費電力量が低減して、消費電力量を抑えることができる。
【００５２】
また、本実施形態においては、外気温センサ５２および冷媒温度センサ５１の検出結果に基づいて、庫外ファン２３の動作を制御する制御装置７０（制御手段）をさらに備えている。
これによれば、制御装置７０により、外気温センサ５２および冷媒温度センサ５１の検出結果に基づいて、庫外ファン２３の動作を制御することができ、圧縮機２０の温度を必要以上に低下させることを防止することができる。
【００５３】
また、本実施形態においては、制御装置７０は、外気温センサ５２および冷媒温度センサ５１がヒートポンプ運転の能力が低いことを検出した場合に、風向調整部材６０で圧縮機２０への送風を遮るように配置された第１庫外ファン２３ａのみを動作させ、風向調整部材６０で圧縮機２０への送風を当てるように配置された庫外ファン２３ｂの動作を停止させるよう制御する。
これによれば、制御装置７０により、外気温センサ５２および冷媒温度センサ５１がヒートポンプ運転の能力が低いことを検出した場合に、風向調整部材６０で圧縮機２０への送風を遮るように配置された第１庫外ファン２３ａのみを動作させ、風向調整部材６０で圧縮機２０への送風を当てるように配置された庫外ファン２３ｂの動作を停止させるよう制御することで、圧縮機２０の温度を必要以上に低下させることを防止することができる。
【００５４】
また、本実施形態においては、外気温センサ５２（外気温検出手段）を備え、外気温センサ５２により検出される外気温が所定の温度以下となったときにヒートポンプ運転の能力が低いことを検出する。
これによれば、外気温センサ５２により検出される外気温が所定の温度以下となったときにヒートポンプ運転の能力が低いことを検出するので、外気温に応じて、ヒートポンプ運転の能力が低いことを検出することができ、圧縮機２０の温度低下を防止することができる。
【００５５】
また、本実施形態においては、庫内熱交換器における冷媒温度を検出する冷媒温度センサ５１（温度検出手段）を備え、制御装置７０は、冷媒温度センサ５１によるヒートポンプ運転時の検出結果に基づいて庫外ファン２３の回転数を制御する。
これによれば、冷媒温度センサ５１により検出される冷媒温度が所定の温度以下となったときにヒートポンプ運転の能力が低いことことを検出するので、冷媒温度に応じて、ヒートポンプ運転の能力が低いことを検出することができ、圧縮機２０の温度低下を防止することができる。
【００５６】
また、本実施形態においては、制御装置７０は、冷媒温度センサ５１により検出される冷媒温度が所定の温度以下の場合に、風向調整部材６０で圧縮機２０への送風を当てるように配置された庫外ファン２３ｂの回転数を下げるように制御する。
これによれば、制御装置７０により、冷媒温度センサ５１により検出される冷媒温度が所定の温度以下の場合に、風向調整部材６０で圧縮機２０への送風を当てるように配置された庫外ファン２３ｂの回転数を下げるように制御することで、圧縮機２０の温度を必要以上に低下させることを防止することができる。
【００５７】
次に、本発明の第２実施形態について説明する。なお、商品冷却加温装置および制御構成については、第１実施形態と同様であるため、第２実施形態の説明においては、図１から図６を参照して説明する。
【００５８】
本実施形態においては、制御装置７０は、冷媒温度センサ５１による冷媒温度および外気温センサ５２による外気温度に基づいて、ヒートポンプ運転の加熱能力の状態を判断する。
制御装置７０は、外気温範囲に対して庫外ファン２３ａ，２３ｂ，２３ｃの起動回転数を定めたテーブル（図示せず）を備えている。制御装置７０は、外気温センサ５２による外気温度に基づいて、テーブルで定められた回転数で庫外ファン２３ａ，２３ｂ，２３ｃを起動するように構成されている。制御装置７０は、庫外ファン２３ａ，２３ｂ，２３ｃを起動した後は、冷媒温度センサ５１による冷媒温度に基づいて庫外ファン２３ａ，２３ｂ，２３ｃの回転数を増減速させるように制御する。
【００５９】
ここで、第１実施形態においては、庫外ファン２３ａ，２３ｂ，２３ｃの回転数を、通常設定されるファンの所定の回転数に対して「低く」または「高く」制御するようにしたが、本実施形態においては、庫外ファン２３ａ，２３ｂ，２３ｃの回転数をより細かく制御するようにしている。
庫外ファン２３ａ，２３ｂ，２３ｃの回転数は、例えば、ファンモータ（図示せず）の通電パルスの間欠率を変更することで、１速（回転数０％：間欠率１００％（ＯＮ０％、ＯＦＦ１００％））から１０速（回転数１００％：間欠率０％（ＯＮ１００％、ＯＦＦ０％））まで、１０段階の回転数で制御することができるように構成されている。
【００６０】
また、制御装置７０は、外気温が１０℃以下（低外気温）、外気温が２０℃以上（高外気温）、外気温が１０℃より高く２０℃未満（中外気温）とに分類し、制御装置７０は、起動時に、外気温が低外気温の場合は、圧縮機２０への送風が遮られている第１庫外ファン２３ａを、圧縮機２０への送風を促進する第２庫外ファン２３ｂおよび第３庫外ファン２３ｃより高い回転数で起動するように制御する。また、外気温が高外気温の場合は、同様に、各庫外ファン２３ａ，２３ｂ，２３ｃの回転数は、低外気温時より高い回転数になるよう制御される。また、外気温が中外気温の場合は、制御装置７０は、低外気温時と高外気温時との間の回転数となるように制御する。
ただし、中外気温の分類は必ずしも用いる必要はなく、低外気温および高外気温の２つの分類のみが用いられてもよい。この場合、各庫外ファン２３ａ，２３ｂ，２３ｃの起動回転数は、低外気温度と高気温度とに分けて運転制御され、起動してからは外気温に応じて、低外気温時または高外気温時のいずれかの運転制御が行われる。
また、制御装置７０は、起動後は、冷媒温度センサ５１による冷媒温度に基づいて、各庫外ファン２３ａ，２３ｂ，２３ｃの回転数を、冷媒温度が所定温度より低い場合は、ヒートポンプ運転の加熱能力が低いと判断して段階的に減速するように制御し、冷媒温度が所定温度より高い場合は、ヒートポンプ運転の加熱能力が高いと判断して段階的に増速するように制御する。
【００６１】
具体的には、例えば、外気温度が１０℃以下（低外気温度）の場合は、制御装置７０は、ヒートポンプ加熱能力が低いと判断し、圧縮機２０への送風が遮られている第１庫外ファン２３ａを４速で起動し、圧縮機２０への送風を促進する第２庫外ファン２３ｂおよび第３庫外ファン２３ｃを３速で起動する。すなわち、第１庫外ファン２３ａよりも第２庫外ファン２３ｂおよび第３庫外ファン２３ｃの回転数を低くする。
そして、制御装置７０は、冷媒温度を７０℃が標準とした場合、例えば、３分毎に冷媒温度センサ５１により冷媒温度を検知し、冷媒温度センサ５１による冷媒温度が６６℃以下であれば、ヒートポンプ加熱能力が低いと判断し、第１庫外ファン２３ａの回転数を４速から３速、２速と順次段階的に減速し、第２庫外ファン２３ｂと第１庫外ファン２３ａの回転数も３速から２速、１速と順次段階的に減速するように制御する。この減速制御は、冷媒温度センサ５１による冷媒温度が６９℃になるまで行われる。
このとき、燃焼性のある冷媒Ｒ６００ａが、万一漏洩しても燃焼しないように濃度を薄くするために、第１庫外ファン２３ａは停止させないこととする。
【００６２】
一方、外気温度が２０℃以上（高外気温度）の場合は、制御装置７０は、ヒートポンプ加熱能力が高いと判断し、全てのファンの起動回転数を低外気温より増やす制御を行う。例えば、圧縮機２０への送風が遮られている第１庫外ファン２３ａを６速で起動し、圧縮機２０への送風を促進する第２庫外ファン２３ｂおよび第３庫外ファン２３ｃを７速で起動する。
そして、制御装置７０は、例えば、３分毎に冷媒温度センサ５１により冷媒温度を検知し、圧縮機２０使用温度範囲基準の７０℃より１℃低い６９℃以上になれば、ヒートポンプ加熱能力が高いと判定し、第１庫外ファン２３ａの回転数を６速から７速、８速、９速、１０速と増速し、第２庫外ファン２３ｂおよび第１庫外ファン２３ａの回転数も７速から８速、９速、１０速と増速するように制御する。
ここで、第１庫外ファン２３ａの起動時における回転数を、低外気温の場合に４速、高外気温の場合に６速としたのは、低外気温の場合、回転数を段階的に減速するように制御するため、中間の回転数（５速）より低めに設定した方が好ましく、高外気温の場合、回転数を段階的に増速するように制御するため、中間の回転数（５速）より高めに設定した方が好ましいためである。
【００６３】
これにより、低外気温でヒートポンプ加熱能力が低下する場合に、圧縮機２０にあたる風量を低減させることができ、圧縮機２０の温度が必要以上に低下してしまうことを防止することができるものである。その結果、冷凍機油と冷媒との溶解度が低下し、冷凍機油に冷媒が溶解することを抑制し、冷凍サイクルを循環する冷媒量を増やしてヒートポンプ能力を向上させることができ、圧縮機２０の消費電力量を低減することができる。
さらに、外気温度が高く変動する場合に、庫外ファン２３ａ，２３ｂ，２３ｃの風量を増加させるように制御することにより、凝縮圧力を低く抑えることができる。その結果、外気温が変動しても凝縮圧力を最適値にすることにより、圧縮機２０の消費電力を抑えて消費電力量を低減することができる。
【００６４】
なお、外気温が１０℃以下の場合を低外気温、外気温が２０℃以上の場合を高外気温としたが、これに限定されるものではなく、５℃以下を低外気温、２５℃以上を高外気温としてもよい。
また、第１庫外ファン２３ａの起動回転数は、低外気温の場合に４速、高外気温の場合に６速としたが、これに限定されるものではない。第２庫外ファン２３ｂ，２３ｃの起動回転数も低外気温の場合に３速、高外気温の場合に７速としたが、これに限定されるものではない。
【００６５】
次に、本実施形態における動作について、図７に示すフローチャートを参照して説明する。なお、飲料自動販売機を内外冷却ヒートポンプ運転モードにより運転する場合の冷媒の流れに関する制御は、第１実施形態と同様にであるためその説明を省略する。
【００６６】
ヒートポンプ運転を開始する際、外気温センサ５２により、外気温を検出し、制御装置７０は、外気温が１０℃以下か、１０℃より大きいかを判断する（ＳＴ１）。
そして、外気温が１０℃以下の場合（ＳＴ１：ＹＥＳ）、制御装置７０は、低外気温と判断し（ＳＴ２）、第１庫外ファン２３ａよりも第２庫外ファン２３ｂおよび第３庫外ファン２３ｃの回転数が低くなるように、第１庫外ファン２３ａを４速で起動し、第２庫外ファン２３ｂおよび第３庫外ファン２３ｃを３速で起動する（ＳＴ３）。
一方、外気温が１０℃より高い場合（ＳＴ１：ＮＯ）、制御装置７０は、高外気温と判断し（ＳＴ４）、低外気温時の起動回転数より高くなるように、第１庫外ファン２３ａを６速で起動し、第２庫外ファン２３ｂおよび第３庫外ファン２３ｃを７速で起動する（ＳＴ５）。
【００６７】
起動後は、冷媒温度センサ５１により冷媒温度を検出し、制御装置７０は、冷媒温度が６９℃以上か、６９℃より低いかを判断する（ＳＴ６）。
そして、冷媒温度が６９℃より低い場合（ＳＴ６：ＮＯ）、制御装置７０は、ヒートポンプの加熱能力が低いと判断し（ＳＴ７）、庫外ファン２３ａ，２３ｂ，２３ｃの回転数を段階的に減速するように制御する（ＳＴ８）。この減速制御は、冷媒温度が６９℃以上になるまで継続される（ＳＴ９）。
【００６８】
一方、冷媒温度が６９℃以上の場合（ＳＴ６：ＹＥＳ）、制御装置７０は、ヒートポンプの加熱能力が高いと判断し（ＳＴ１０）、庫外ファン２３ａ，２３ｂ，２３ｃの回転数を段階的に増速するように制御する（ＳＴ１１）。この増速制御は、冷媒温度が６６℃になるまで継続される（ＳＴ１２）。
そして、ヒートポンプ運転を継続する場合は（ＳＴ１３：ＹＥＳ）、冷媒温度に基づいた庫外ファン２３ａ，２３ｂ，２３ｃの回転数制御を繰り返して行う（ＳＴ６〜ＳＴ１３）。ヒートポンプ運転を継続しない場合は、終了する。
【００６９】
以上述べたように、本実施の形態の飲料自動販売機は、外気温センサ５２（能力検出手段）により、ヒートポンプ運転の加熱能力が低いことを検出した場合に、風向調整部材６０で圧縮機２０への送風を遮るように配置された第１庫外ファン２３ａの動作に対して、圧縮機２０への送風を当てるように配置された第２庫外ファン２３ｂの回転数を低減させ、外気温センサ５２によりヒートポンプ運転の加熱能力が高いと検出した場合に、風向調整部材６０で圧縮機２０への送風を遮るように配置された第１庫外ファン２３ａと風向調整部材６０で圧縮機２０への送風を当てるように配置された第２庫外ファン２３ｂの回転数を、外気温センサ５２によりヒートポンプ運転の加熱能力が低いと検出した場合よりも増やす。
これによれば、低外気温度でヒートポンプ運転の加熱能力が低い場合に、圧縮機２０の温度を必要以上に低下させることを防止することができる。その結果、冷凍機油と冷媒との溶解度が低下し、低外気温でヒートポンプ運転の加熱能力が低くなる場合に、冷凍機油に冷媒が溶解することを抑制し、冷凍サイクルを循環する冷媒量を増やしてヒートポンプ加熱能力を向上させて圧縮機２０の消費電力量を低減できる。さらに、外気温が変動しても凝縮圧力を最適値にすることで圧縮機２０の消費電力を抑えて消費電力量を低減できる。
【００７０】
また、本実施形態においては、外気温センサ５２により検出される外気温が所定の温度以上となったときにヒートポンプ運転の加熱能力が高いと検出する。
これによれば、外気温センサ５２により検出される外気温が所定の温度以上となったときにヒートポンプ運転の加熱能力が高いと検出するので、外気温に応じて、ヒートポンプ運転の加熱能力が高いことを検出することができる。
【００７１】
また、本実施形態においては、冷媒温度センサ５１（冷媒温度検出手段）により検出される冷媒温度が所定の温度以上となったときにヒートポンプ運転の加熱能力が高いと検出する。
これによれば、冷媒温度センサ５１により検出される冷媒温度が所定の温度以上となったときにヒートポンプ運転の能力が高いと検出するので、冷媒温度に応じて、ヒートポンプ運転の能力が高いことを検出することができる。
【００７２】
また、本実施形態においては、制御装置７０は、外気温センサ５２により検出される外気温が低外気温と検出し、ヒートポンプ運転の加熱能力が低いと検出した場合に、風向調整部材６０で圧縮機２０への送風を当てるように配置された第２庫外ファン２３ｂの起動回転数を、風向調整部材６０で圧縮機２０への送風を遮るように配置された第１庫外ファン２３ａよりも減らす。
これにより、低外気温時に起動する場合に、圧縮機２０にあたる風量を低減させることができ、圧縮機２０の温度が必要以上に低下してしまうことを防止することができる。
【００７３】
また、本実施形態においては、制御装置７０は、外気温センサ５２により検出される外気温が高外気温と検出し、ヒートポンプ運転の加熱能力が高いと検出した場合に、圧縮機２０への送風を遮るように配置された第１庫外ファン２３ａと圧縮機２０への送風をへ当てるように配置された第２庫外ファン２３ｂの起動回転数を、共にヒートポンプ運転の加熱能力が低い場合よりも増やす。
これにより、外気温度が高く変動する場合に、庫外ファン２３ａ，２３ｂ，２３ｃの風量を増加させて凝縮圧力を低く抑えることができる。その結果、冷凍機油と冷媒との溶解度が低下し、冷凍機油に冷媒が溶解することを抑制し、冷凍サイクルを循環する冷媒量を増やしてヒートポンプ能力を向上させて圧縮機２０の消費電力量を低減できる。
【００７４】
また、本実施形態においては、制御装置７０は、冷媒温度センサ５１により検出される庫内熱交換器の冷媒温度が低いと検出し、ヒートポンプ運転の加熱能力が低いと検出した場合に、風向調整部材６０で圧縮機２０への送風を当てるように配置された第２庫外ファン２３ｂの回転数を、風向調整部材６０で圧縮機２０への送風を遮るように配置された第１庫外ファン２３ａよりも減らすと共に、冷媒温度が所定温度になるまで減速させていく。
これにより、加熱能力が低い場合に、外気温が変動しても冷媒温度を最適値にすることで圧縮機２０の消費電力を抑えて消費電力量を低減できる。
【００７５】
また、本実施形態においては、制御装置７０は、冷媒温度センサ５１により検出される庫内熱交換器の冷媒温度が高いと検出し、ヒートポンプ運転の加熱能力が高いと判定した場合に、風向調整部材６０で圧縮機２０への送風を遮るように配置された第１庫外ファン２３ａおよび風向調整部材６０で圧縮機２０への送風を当てるように配置された第２庫外ファン２３ｂの回転数を、冷媒温度が所定温度になるまで増速させていく。
これにより、加熱能力が高い場合に、外気温が変動しても冷媒温度を最適値にすることで圧縮機２０の消費電力を抑えて消費電力量を低減できる。
【００７６】
なお、本発明は、前記実施形態に限定されるものではなく、発明の趣旨を逸脱しない範囲で種々変更が可能である。
【符号の説明】
【００７７】
２  商品収納庫
３  機械室
１０  第１の冷却加温室
１１  第２の冷却加温室
１２  冷却専用室
２０  圧縮機
２１  庫外凝縮器
２２  庫外蒸発器
２３  庫外ファン
２４，２８，３１  庫内蒸発器
２５  庫内凝縮器
２６，２９，３２  庫内ファン
４０  電磁弁
４１  パルス三方弁
４５  三方電磁弁
４７  逆止弁
４８  ヒートポンプ電磁弁
５１  冷媒温度センサ
５２  外気温センサ
６０  風向調整部材
７０  制御装置
【図１】
2017116253.tif 000003
【図２】
2017116253.tif 000004
【図３】
2017116253.tif 000005
【図４】
2017116253.tif 000006
【図５】
2017116253.tif 000007
【図６】
2017116253.tif 000008
【図７】
2017116253.tif 000009